(57)【要約】【課題】発光縁部により二つの表示領域に区分けされていても、ユーザからの見た目上で二つの表示領域を近接させた配置が可能な表示装置を提供する。【解決手段】表示装置１には、第一表示領域１１０と、第二表示領域１２０と、第一表示領域および第二表示領域を区分けする発光縁部１３１とが形成されている。表示装置は、光源１１８と、経路形成体としてのバルブカバー１１４および前面ケース１４０とを備える。光源は、発光縁部を発光させる照明光を射出する。経路形成体は、第一表示領域および第二表示領域の背面側に位置する。経路形成体は、照明光を発光縁部の背面側に導光する導光経路１５０を形成している。経路形成体は、第二表示領域よりも正面方向に突出した位置に第一表示領域を配置するよう、第一表示領域および第二表示領域の間に段差面部１５１を形成している。経路形成体は、導光経路の出口開口１５２を段差面部に形成している。【選択図】図３
2018205215.tif 000002
【特許請求の範囲】
【請求項１】
情報を表示する第一表示領域（１１０）および第二表示領域（１２０）が形成された表示装置（１）であって、
互いに隣接する前記第一表示領域および前記第二表示領域の間に位置し、前記第一表示領域および前記第二表示領域を区分けする発光縁部（１３１）が設けられた発光部材（１３０）と、
前記発光縁部を発光させる照明光を射出する光源（１１８）と、
前記第一表示領域および前記第二表示領域の背面方向に位置し、前記光源から射出された前記照明光を前記発光縁部の背面方向に導光する導光経路（１５０）を形成している経路形成体（１１４、１４０）と、を備え、
前記経路形成体は、前記第二表示領域よりも正面方向に突出した位置に前記第一表示領域を配置するよう、前記第一表示領域および前記第二表示領域の間に段差面部（１５１）を形成しており、
前記導光経路の出口開口（１５２）が、前記段差面部に形成されている表示装置。
【請求項２】
前記経路形成体は、前記段差面部を前記正面方向に沿って形成している請求項１に記載の表示装置。
【請求項３】
前記発光部材は、前記第二表示領域と接する接触部（１３４）を備え、
前記経路形成体は、
前記第二表示領域に対し前記正面方向に突出して、前記接触部に向かう前記照明光を遮蔽する遮蔽部（１４２）を形成する請求項１または２に記載の表示装置。
【請求項４】
前記発光部材は、
透光性を有し、前記照明光を導入して前記正面方向に出射する透光基材（１３２）と、
前記透光基材の表面のうち前記照明光の出射を制限する領域に設けられ、前記照明光の反射により、前記透光基材の外部に向かう前記照明光を遮光する遮光層（１３３）とを備える請求項１から３のいずれか１項に記載の表示装置。
【発明の詳細な説明】
【技術分野】
【０００１】
本開示は、発光部を備える表示装置に関する。
【背景技術】
【０００２】
特許文献１には、表示装置の一種として、文字板の外周に発光部を配置した計器が開示されている。発光部は、光源からの照明光の供給により発光する。こうした発光部を備える表示装置では、光源からの照明光を導くために、背面側から正面方向に向かう導光経路が設けられる。
【先行技術文献】
【特許文献】
【０００３】
【特許文献１】特許第５８１６０４２号公報
【発明の概要】
【発明が解決しようとする課題】
【０００４】
特許文献１に記載のような発光部は、二つの表示領域の間に設けることにより、二つの表示領域を区分けする発光縁部を形成可能である。このような発光縁部を設けられた表示装置において、二つの表示領域の間に導光経路の出口開口が形成される。出口開口は、照明光を発光縁部に導くことが可能な開口面積に形成される。従って、二つの表示領域の見た目上の距離は、照明光を導くことが可能な開口面積が確保されるよう離す必要が生じ得た。
【０００５】
本開示は、この事情に基づいて成されたものであり、その目的とするところは、第一表示領域および第二表示領域が発光縁部により区分けされていても、ユーザからの見た目上で二つの表示領域を近接させた配置が可能な表示装置を提供することにある。
【課題を解決するための手段】
【０００６】
上記目的は独立請求項に記載の特徴の組み合わせにより達成され、また、下位請求項は、本開示の更なる有利な具体例を規定する。特許請求の範囲に記載した括弧内の符号は、一つの態様として後述する実施形態に記載の具体的手段との対応関係を示すものであって、本開示の技術的範囲を限定するものではない。
【０００７】
上記目的を達成するための本開示は、情報を表示する第一表示領域および第二表示領域が形成された表示装置であって、互いに隣接する第一表示領域および第二表示領域の間に位置し、第一表示領域および第二表示領域を区分けする発光縁部が設けられた発光部材と、発光縁部を発光させる照明光を射出する光源と、第一表示領域および第二表示領域の背面側に位置し、光源から射出された照明光を発光縁部の背面側に導光する導光経路を形成している経路形成体と、を備え、経路形成体は、第二表示領域よりも正面方向に突出した位置に第一表示領域を配置するよう、第一表示領域および第二表示領域の間に段差面部を形成しており、導光経路の出口開口が、段差面部に形成されている。
【０００８】
以上の構成によれば、経路形成体は、第二表示領域よりも正面方向に突出した位置に第一表示領域を配置している。そのため、発光縁部に照明光を導光する導光経路の出口開口は、第一表示領域および第二表示領域の間の段差面部に形成可能となる。このように、第一表示領域および第二表示領域に対し傾斜した姿勢となる段差面部に出口開口が形成されていれば、ユーザからの見た目上で互いに隣接する第一表示領域および第二表示領域を大きく離さなくても、出口開口の開口面積は確保され得る。したがって、第一表示領域および第二表示領域が発光縁部で区分けされた表示装置であっても、ユーザからの見た目上で二つの表示領域を近接させた配置が可能になる。
【図面の簡単な説明】
【０００９】
【図１】表示装置１の外観の一部を示す図である。
【図２】表示面１００を形成する部材を図１の範囲ＩＩ部分について切り出して示した図である。
【図３】図１のＩＩＩ−ＩＩＩ線切断面を矢視した部分断面図である。
【図４】第二表示板１２１を取り除いた表示装置１の外観を示す図である。
【図５】第二表示板１２１および発光部材１３０を取り除いた表示装置１の外観を示す図である。
【図６】発光縁部１３１の背面方向の構造を示す図である。
【図７】図１のＩＩＩ−ＩＩＩ線切断面を矢視した部分断面図の別例である。
【発明を実施するための形態】
【００１０】
以下、本開示の実施形態としての表示装置１を図面に基づいて説明する。図１に沿って表示装置１の外観を説明する。表示装置１は、いわゆるコンビネーションメータである。表示装置１は、運転席に着座したユーザ、すなわちドライバに対して車両の情報を表示する。表示装置１は、インストルメントパネルの運転席に対向する位置に、表示面１００を運転席に向けて設けられている。表示面１００には、第一表示領域１１０、第二表示領域１２０、発光縁部１３１が形成されている。
【００１１】
以下、表示面１００に対して垂直な方向であって、表示面１００からドライバに向かう方向を正面方向と表現する。また、表示面１００に対して垂直な方向であって、正面方向とは反対の方向を背面方向と表現する。
【００１２】
第一表示領域１１０は、発光縁部１３１により囲われた円形の領域である。第一表示領域１１０には、第一表示板１１１および指針１１２によりメータ表示が形成されている。第一表示板１１１は、透光性の樹脂により形成された円板状の部材である。透光性の樹脂は、例えばポリカーボネート樹脂やアクリル樹脂である。第一表示板１１１の正面方向の面により、第一表示領域１１０の外観が形成されている。第一表示板１１１は、遮光性または半透光性の印刷が部分的に施されている。第一表示板１１１の背面方向より供給される照明光は、第一表示板１１１に施された印刷によって部分的に遮光または減光されて正面方向に出射される。これにより第一表示板１１１は、いわゆる文字板としてドライバに視認される数値または目盛を表示する。
【００１３】
指針１１２は、モータに駆動されることにより、第一表示板１１１に表示された数値または目盛を指示する部材である。指針１１２が第一表示板１１１に表示された数値または目盛を指示することにより、メータ表示として、例えば車速がドライバに表示される。
【００１４】
第二表示領域１２０は、ドライバからの見た目上で発光縁部１３１の外側の領域である。第二表示領域１２０には、画像表示部１２２および警告表示部１２３が形成されている。第二表示領域１２０の外観は、第二表示板１２１により形成されている。第二表示板１２１は、第一表示板１１１と同様に透光性の樹脂により形成された板状の部材である。第二表示板１２１の正面方向の面により、第二表示領域１２０の外観が形成されている。第二表示板１２１のうち、画像表示部１２２および警告表示部１２３を除く領域には、遮光性の印刷が施されている。
【００１５】
画像表示部１２２は、ドライバに種々の情報を提示するための画像を表示する表示部である。画像表示部１２２は、後述のディスプレイ１２４により実現される。警告表示部１２３は、ドライバに種々の警告を行う表示部である。警告表示部１２３は、第二表示板１２１への遮光性の印刷により形成されている。具体的には、印刷を施されていない部分が警告する内容を示すマークとして視認されるように印刷を施されることにより形成されている。警告表示部１２３は、第二表示板１２１の背面方向に設けられた光源に照明されることにより、警告する内容を示すマークとして点灯する。これにより警告表示部１２３は、点灯させたマークによって種々の警告を行う。発光縁部１３１は、表示面１００にて円環状に発光する。発光縁部１３１は、ドライバの見た目上で、第一表示領域１１０と第二表示領域１２０とを区分けしている。
【００１６】
次に、表示装置１の機械的な構成の詳細を、図２および図３を用いて説明する。表示装置１は、上述の第一表示板１１１、第二表示板１２１に加えて、発光部材１３０、拡散板１１３、ディスプレイ１２４、前面ケース１４０、バルブカバー１１４、導光リング１１５、回路基板１１６、背面ケース１６０を備えている。
【００１７】
第一表示板１１１は、第二表示板１２１よりも正面方向に配置されている。第二表示板１２１には、第一表示領域１１０に相当する位置に、メータ開口１２５が形成されている。メータ開口１２５の内側には、第一表示領域１１０を形成する複数の部材が配置されている。
【００１８】
発光部材１３０は、第一表示板１１１と、第二表示板１２１との隙間をまたぐ環状の部材である。発光部材１３０は、第一表示板１１１の正面方向の面と、第二表示板１２１の正面方向の面との両方に接触するように配置されている。発光部材１３０は、透光基材１３２と、遮光層１３３とにより構成されている。発光部材１３０は、正面部１３６、内周側壁１３７、および外周側壁１３８を備えたリング状の外観形状に形成されている。発光部材１３０には、発光縁部１３１、導入部１３５、および接触部１３４などが形成されている。透光基材１３２は、透光性の樹脂により形成された環状の部材である。透光基材１３２により、発光部材１３０の外観形状が形成されている。
【００１９】
遮光層１３３は、光を遮断する。遮光層１３３は、透光基材１３２の表面のうち、照明光の出射を制限する領域に設けられる。遮光層１３３は、例えばめっきや蒸着などの処理により透光基材１３２の表面に設けられた金属膜である。透光基材１３２と接する遮光層１３３の蒸着面は、照明光を反射することにより透光基材１３２の外部に向かう照明光を遮蔽する。
【００２０】
正面部１３６は、表面の一面を正面方向に向けて、第一表示板１１１と、第二表示板１２１との隙間の正面方向に配置された環状の面部である。内周側壁１３７は、正面部１３６の内周より背面方向に延びて、第一表示板１１１の正面方向の面に接する環状の壁部である。外周側壁１３８は、正面部１３６の外周より背面方向に延びて、第二表示板１２１の正面方向の面に接する環状の壁部である。外周側壁１３８は、第一表示板１１１が第二表示板１２１よりも正面方向に配置されているため、内周側壁１３７よりも背面方向に長く延びた形状である。
【００２１】
発光縁部１３１は、透光基材１３２表面の遮光層１３３が設けられていない部分のうち、正面部１３６の正面方向に向いた表面に形成された、正面方向から目視可能な部分である。発光縁部１３１は、照明光を出射することにより発光する。
【００２２】
導入部１３５は、透光基材１３２表面の遮光層１３３が設けられていない部分のうち、後述する出口開口１５２に向いている部分である。導入部１３５は、出口開口１５２からの照明光を透光基材１３２に導入する。接触部１３４は、発光部材１３０のうち、外周側壁１３８の第二表示板１２１と接触する部分である。
【００２３】
拡散板１１３は、第一表示板１１１に供給される照明光を拡散させる板状の部材である。従って拡散板１１３の厚さＴｈは、第一表示板１１１に供給される照明光が十分に拡散され、第一表示板１１１の発光のムラが抑制されるように決定される。厚さＴｈは、例えば１．５ｍｍとすればよい。拡散板１１３は、例えば表面への微小な凹凸の形成などにより光を拡散する機能を付加された透光性の樹脂により実現される。
【００２４】
ディスプレイ１２４は、画像表示部１２２を形成する装置である。ディスプレイ１２４は、例えば薄膜トランジスタ（Thin Film Transistor＝ＴＦＴ）よりなるＴＦＴ液晶パネルにより実現される。
【００２５】
前面ケース１４０は、第二表示板１２１の背面方向に位置する部材である。前面ケース１４０は、第二表示板１２１と共に第二表示領域１２０の外観形状を形成する。前面ケース１４０は、例えば白色のＡＢＳ樹脂やポリプロピレン樹脂などにより形成される。前面ケース１４０のうち、第一表示領域１１０に相当する部分には、メータ配置穴１４１が形成されている。メータ配置穴１４１は、メータ開口１２５より背面方向に延びる配置である。メータ配置穴１４１には、第一表示領域１１０を形成する複数の部材が配置されている。
【００２６】
前面ケース１４０は、第二表示領域１２０を形成する第二表示板１２１に対し正面方向に突出した遮蔽部１４２を形成している。遮蔽部１４２の第二表示板１２１に対して突出する長さは、遮蔽部１４２の正面方向に、後述する出口開口１５２を形成する余地を残す長さである。遮蔽部１４２は、メータ配置穴１４１の全周にわたって、メータ配置穴１４１を囲うように形成されている。遮蔽部１４２は、第二表示領域１２０に対し正面方向に突出しているため、第二表示領域１２０に沿って接触部１３４に進む照明光を遮蔽する。
【００２７】
バルブカバー１１４は、第一表示板１１１を発光させるための光源を囲う部材である。バルブカバー１１４は、第一表示板１１１を発光させるための照明光と、発光縁部１３１を発光させるための照明光との混合を抑止する。従ってバルブカバー１１４は、遮光性の素材により形成されている。バルブカバー１１４は、例えば前面ケース１４０と同様に白色のＡＢＳ樹脂やポリプロピレン樹脂などにより形成されている。バルブカバー１１４は、第一表示板１１１と発光縁部１３１との間から背面方向に延びるように設けられている。
【００２８】
バルブカバー１１４および前面ケース１４０は、請求項の経路形成体に相当する。従ってバルブカバー１１４および前面ケース１４０が、段差面部１５１、導光経路１５０、および出口開口１５２を形成している。
【００２９】
まず、段差面部１５１を形成している構成を説明する。バルブカバー１１４は、第二表示板１２１より正面方向に突出した位置に第一表示板１１１を配置するように形成されている。これにより、第一表示領域１１０は、第二表示領域１２０よりも正面方向に突出した位置に配置されている。第二表示板１２１から突出する距離は、後述の出口開口１５２の開口面積が確保可能となる段差面部１５１が形成されるように決定する。一例として、バルブカバー１１４は、第一表示板１１１が第二表示板１２１から５ｍｍ突出するように配置されている。
【００３０】
段差面部１５１は、第一表示板１１１が第二表示板１２１よりも正面方向に突出した位置に配置されている構成により、第一表示領域１１０と第二表示領域１２０との間に形成されている面である。段差面部１５１は、メータ開口１２５の内周より正面方向に延び、第一表示板１１１の外周に至る面である。従って段差面部１５１は、正面方向に沿って形成されている。
【００３１】
導光経路１５０および出口開口１５２を形成する構成を説明する。バルブカバー１１４は、円錐台面部１１４ａと、円筒部１１４ｂを組み合わせた形状となっている。円錐台面部１１４ａは、第一表示板１１１を底面として、背面方向に向かって延びるとともに緩やかに径が小さくなる円錐台の周面をなす形状である。円筒部１１４ｂは、円錐台面部１１４ａの背面方向の端部より、背面方向に向かって伸びる円筒形状である。
【００３２】
従って、円錐台面部１１４ａの外面は、背面方向に向かうにつれて、段差面部１５１およびメータ配置穴１４１の内面から離れるように形成されている。また、円筒部１１４ｂの外面は、メータ配置穴１４１の内面から離れて形成されている。
【００３３】
導光経路１５０は、メータ配置穴１４１の内面と、円錐台面部１１４ａおよび円筒部１１４ｂの外面との間の空間である。出口開口１５２は、段差面部１５１のうち、円錐台面部１１４ａの外面とメータ配置穴１４１の内面との間の領域である。
【００３４】
導光リング１１５は、導光経路１５０の背面方向に配置されている。導光リング１１５は、導光経路１５０を介して照明光を発光部材１３０の全周にわたって供給する部材である。導光リング１１５は、透光性の樹脂により環状に形成されている。導光リング１１５は、背面方向から照明光を導入する。導光リング１１５は、少なくとも正面方向に向けて導入した照明光を出射する。
【００３５】
回路基板１１６は、板状に形成された樹脂やセラミックスなどの絶縁基材に、銅などによる導体パターンおよび電子部品を設けることによって回路が形成された部材である。回路基板１１６に設けられる電子部品は、導光リング１１５に照明光を供給する光源１１８を含む。光源１１８は、導体パターンを介して電力の供給を受けることにより照明光を射出する。光源１１８は、例えば発光ダイオードが用いられる。
【００３６】
背面ケース１６０は、回路基板１１６を背面方向から覆い、表示装置１の背面方向の外観形状を形成する部材である。背面ケース１６０は、例えば前面ケースと同様に白色のＡＢＳ樹脂やポリプロピレン樹脂などにより形成されている。
【００３７】
［実施形態のまとめ］
以上、説明した実施形態によれば、導光リング１１５は、全周にわたって光源１１８より供給された照明光を正面方向に出射する。導光リング１１５より出射された照明光は、導光リング１１５の正面方向に形成された導光経路１５０により導光される。照明光は、出口開口１５２に向けて直接、または導光経路１５０の内壁に反射されて導光され、出口開口１５２より出射される。
【００３８】
出口開口１５２より出射された照明光は、導入部１３５より透光基材１３２に導入される。導入された照明光は、直接、または遮光層１３３に反射されて発光縁部１３１に向かい、発光縁部１３１より出射される。照明光は、以上の経路で発光縁部１３１に導かれ、発光縁部１３１を発光させる。これにより、表示装置１は、第一表示領域１１０および第二表示領域１２０を、照明光により発光する発光縁部１３１で区分けした構成となっている。
【００３９】
一方、バルブカバー１１４および前面ケース１４０は、第二表示領域１２０よりも正面方向に突出した位置に第一表示領域１１０を配置している。これにより、発光縁部１３１に照明光を導光する導光経路１５０の出口開口は、第一表示領域および第二表示領域の間に形成された段差面部１５１に形成可能となる。このとき、段差面部１５１は、第一表示領域１１０および第二表示領域１２０に対して傾斜した姿勢となる。このような段差面部１５１に出口開口１５２が形成されていることにより、ユーザからの見た目上で互いに隣接する第一表示領域１１０および第二表示領域１２０を大きく離すことなく、出口開口１５２の開口面積を確保可能である。これにより、表示装置１は、二つの表示領域を近接させた構成となっている。
【００４０】
従って、表示装置１は、第一表示領域１１０および第二表示領域１２０が発光縁部１３１で区分けされており、かつドライバからの見た目上で二つの表示領域を近接させた構成となっている。
【００４１】
また、バルブカバー１１４および前面ケース１４０は、段差面部１５１を正面方向に沿って形成している。これにより、段差面部１５１の外側に形成される出口開口１５２の見た目上の面積を小さくすることが可能となる。従って、ドライバからの見た目上で二つの表示領域の間の距離をより近づけることが可能である。
【００４２】
本実施形態における第一表示領域１１０と第二表示領域１２０との見た目上の距離を図４および図５を用いて説明する。第二表示板１２１を取り除いた状態の表示面１００では、図４に示すように画像表示部１２２を形成するディスプレイ１２４と第一表示板１１１が近接している。また、発光部材１３０は、一部がディスプレイ１２４の正面方向を覆うように配置されている。
【００４３】
第二表示板１２１に加えて発光部材１３０を取り除いた状態の表示面１００では、図５に示すように第一表示板１１１と前面ケース１４０とが見た目上で隣接している。これにより表示面１００は、第一表示領域１１０と第二表示領域１２０との間の見た目上の距離を短くした構成となる。
【００４４】
本実施形態では、前面ケース１４０は、第二表示領域１２０から視認方向に突出した遮蔽部１４２を形成している。遮蔽部１４２は、第二表示領域１２０に沿って接触部１３４に向かう照明光を遮蔽する。従って遮蔽部１４２は、接触部１３４と第二表示領域１２０との間からの光漏れを抑制可能である。
【００４５】
本実施形態では、遮光層１３３は、照明光の反射により透光基材１３２の外部に向かう照明光を遮光する。このため遮光層は、遮光による発光部材１３０の内部での照明光の減衰を抑制する。従って、発光部材１３０は、透光基材１３２に導入される照明光のうち、遮光層により遮光される光量が多い場合であっても、発光縁部１３１より出射する光量の減少を抑制可能である。すなわち、発光部材１３０は、導入される照明光のうち、正面方向に向かう光量が少ない場合であっても、出射する光量が減少することを抑制可能である。
【００４６】
本実施形態では、表示装置１は、導光経路１５０により第二表示板１２１の正面方向に形成された発光縁部１３１を発光させる構成である。導光経路１５０は、メータ配置穴１４１の内面と、円錐台面部１１４ａおよび円筒部１１４ｂの外面との間の空間として形成されている。このため表示装置１は、第二表示領域１２０の背面方向において発光縁部１３１までに至る形状を備えた特別な導光部材を配置することなく、発光縁部１３１を発光させうる。従って表示装置１は、表示面１００よりも背面方向に位置する導光部材の配置による、表示面１００のデザインの制限が抑制可能である。
【００４７】
本実施形態における表示面１００に対する構成部材の配置を、図６を用いて説明する。導光リング１１５は、正面方向から見てメータ配置穴１４１の内側に位置するように配置されている。また、導光経路１５０は、メータ配置穴１４１の内側に形成されている。このように、発光縁部１３１を発光させるための構成は、第二表示板１２１の背面方向には配置されず、第一表示板１１１の背面方向に配置されている。
【００４８】
導光経路１５０を形成するバルブカバー１１４および前面ケース１４０が白色の樹脂で形成されている場合、導光経路１５０の内壁も白色となる。従って、導光経路１５０により導光される照明光は、導光経路１５０の内壁に乱反射されつつ出口開口１５２に向かう。これにより、導光される照明光の減衰が抑制される。また、照明光が拡散され、発光縁部１３１の発光ムラが抑制される。
【００４９】
以上、本開示の実施形態を説明したが、本開示は上述の実施形態に限定されるものではなく、次の変形例も本開示の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５０】
＜変形例１＞
実施形態において、バルブカバー１１４は、円錐台形状と円柱形状とを組み合わせた外観形状としていた。また、前面ケース１４０は遮蔽部１４２を形成していた。しかし、段差面部１５１を形成するとともに、段差面部１５１に出口開口１５２を形成する導光経路１５０を形成可能であれば、バルブカバー１１４の外観形状や前面ケース１４０の形状はこれに限られない。
【００５１】
バルブカバー１１４の外観形状や前面ケース１４０の形状の別例を図７に沿って説明する。図７に示すように、バルブカバー１１４の外観形状が、背面方向に向かうにつれて段階的に前面ケース１４０から離れる形状であってもよい。また、図７に示すように、前面ケース１４０が、第二表示領域１２０よりも正面方向に突出した部分を有さない、すなわち遮蔽部１４２を形成しない形状であってもよい。
【００５２】
また、実施形態において、遮光層１３３は金属膜であったが、照明光の遮断が可能であれば、遮光層１３３の構成はこれに限られない。例えば、図７に示すように、遮光層１３３が、塗料層１３３ａと、金属層１３３ｂとにより構成されていてもよい。塗料層１３３ａは、透光基材１３２の表面に配置された、黒色の塗料である。金属層１３３ｂは、塗料層１３３ａの表面にめっきや蒸着などにより設けられた、実施形態における遮光層１３３と同様の金属膜である。すなわち、透光基材１３２と金属膜との間に、塗料層１３３ａを追加で設けた構成である。塗料層１３３ａは、遮光層１３３からの光漏れを抑制可能である。
【００５３】
また、透光基材１３２の表面に、照明光を拡散する拡散層１３９を設けてもよい。拡散層１３９は、例えば表面に微細な凹凸を設ける、いわゆるシボ加工を施すことにより形成される。拡散層１３９は、例えば導入部１３５のうち、発光縁部１３１の背面方向に位置する部分に設けられる。拡散層１３９は、発光縁部１３１の発光ムラを抑制可能である。
【符号の説明】
【００５４】
１：表示装置    １００：表示面    １１０：第一表示領域    １１１：第一表示板    １１２：指針    １１３：拡散板    １１４：バルブカバー    １１４ａ：円錐台面部    １１４ｂ：円筒部    １１５：導光リング    １１６：回路基板    １１８：光源    １２０：第二表示領域    １２１：第二表示板    １２２：画像表示部    １２３：警告表示部    １２４：ディスプレイ    １３０：発光部材    １３１：発光縁部    １３２：透光基材    １３３：遮光層    １３４：接触部    １３５：導入部    １４０：前面ケース    １４１：メータ配置穴    １４２：遮蔽部    １５０：導光経路    １５１：段差面部    １５２：出口開口    １６０：背面ケース
【図１】
2018205215.tif 000003
【図２】
2018205215.tif 000004
【図３】
2018205215.tif 000005
【図４】
2018205215.tif 000006
【図５】
2018205215.tif 000007
【図６】
2018205215.tif 000008
【図７】
2018205215.tif 000009